(57)【要約】      （修正有）【課題】正逆回転可能なソケットにボルト頭やナットを嵌合させてボルトの着脱を行う磁石付きラチェットレンチにおいて、ナットを落下させずに、使い易いラチェットレンチを実現する。【解決手段】ナットＡに嵌合する内周歯４を形成した、筒状のソケット２を、棒状の本体１の一端部に配置する。ナットに内周歯が嵌合して回転するソケットの一端部に環状磁石６を配置する。環状磁石は、内径が略ソケット内周歯の内接寸法であってナットが通過しない寸法であるととともに、外径が、ソケットの一端部の外径に略等しいものとし、環状磁石とソケットの一端部を、内鍔８を備えた係止具７で覆う。【選択図】図５
0003200189.tif 000002
【実用新案登録請求の範囲】
【請求項１】
ナットＡに嵌合する内周歯４を備えた筒状のソケット２を、棒状の本体１の一端部に形成した保持孔３に回転可能に保持し、前記保持孔３とソケット２の間に正逆切り替え可能なラチェット機構５を備えることによって、本体１の保持孔３に保持させたソケット２を正逆切り替えて任意方向に回転駆動し、ソケット２に嵌合させたナットＡを回動させてボルトＢの着脱を行うラチェットレンチにおいて、
前記ナット２に嵌合して回転するソケット２の一端部に、内径が略ソケット２の内周歯４の内接寸法であってナットＡが通過しない寸法とするとともに、外径がソケット２の一端部の外径に略等しい環状磁石６を配置し、該環状磁石６と環状磁石を配置したソケット２の一端部を、一端に内鍔８を備え、内径が前記環状磁石６の外径に等しい筒状である係止具７で覆い、
該係止具７の外周面とソケット２を保持する本体１の保持孔３の間をスプリングピン９によって係止させることを特徴とする磁石付きラチェットレンチ。
【請求項２】
筒状のソケット２の外周は、一端を一端細径部10、他端を他端細径部11とし、中間を中間太径部12とするとともに、ソケット２を装着する本体の保持孔３は、係止具７を装着したソケットの一端部が装着される保持孔３の一端部を係止具７の外周が嵌合する太径孔13とし、ソケットの一端細径部を係止具の内周面に嵌合させ、係止具７の外周面を本体１の保持孔３の前記一端の太径孔13内周面に嵌合させ、ソケット２の中間太径部12が位置する保持孔３の中間部はソケット２の中間太径部12が遊回動可能な太径孔14とし、
本体１の保持孔３の他端部は、ソケットの他端細径部が嵌合する細径孔15とし、該細径孔15と前記ソケット２の中間の太径孔14との間に内鍔16を形成し、該内鍔16にソケット２の中間太径部を支受させることを特徴とする請求項１記載の磁石付きラチェットレンチ。
【考案の詳細な説明】
【技術分野】
【０００１】
本考案は、棒状である本体の一端に配置した正逆回転可能なソケットにボルト頭やナットを嵌合させてボルトの着脱を行う磁石付きラチェットレンチに関する考案である。
【背景技術】
【０００２】
広く利用されているラチェットレンチは、ナットをネジ戻した場合や、締付を始める場合にナットを落下させてしまうことが多く作業能率が悪い欠点があった。このような欠点を解消するため、ソケット内に磁石を配置し吸磁させることによってナットやボルトの落下を防止する思想がある。
例えば、特許文献１には、比較的長寸法のラチェットを上下に二分するように仕切り板を設け、この仕切り板に磁石を備えることによってネジ戻したナットの落下を防止する構造のラチェットレンチが記載されている。
【先行技術文献】
【特許文献】
【０００３】
【特許文献１】実開昭６２−１６８２５９号公報
【考案の概要】
【考案が解決しようとする課題】
【０００４】
ソケットの中に、あるいは一端面に板状の磁石を配置する従来のラチェットレンチでは、分離させたナットがソケットの中に嵌まり込んで取り出せなくなる可能性があり、必ずしも使い勝手の良いものではなかった。また、板状の磁石を配置しない、従来のラチェットレンチでは、ナットがソケットを通過してしまうため、緩めたナットの落下を防止することができなかった。
上記従来技術の欠点に鑑み、本考案は、取り外したナットを落下させることなく、ソケットに保持させるとともに、保持させたナット取り出せなくなるようなことがなく、使い勝手の良いラチェットレンチを提供することを目的とするものである。
【考案の開示】
【課題を解決するための手段】
【０００５】
上記目的を達成する、請求項１に記載の考案は、ナットＡに嵌合する内周歯４を備えた筒状のソケット２を、棒状の本体１の一端部に形成した保持孔３に回転可能に保持し、前記保持孔３とソケット２の間に正逆切り替え可能なラチェット機構５を備えることによって、本体１の保持孔３に保持させたソケット２を正逆切り替えて任意方向に回転駆動を可能とし、ソケット２に嵌合させたナットＡを回動させてボルトＢの着脱を行うラチェットレンチに関するものである。
【０００６】
前記ナット２に嵌合して回転するソケット２の一端部に、内径が略ソケット２の内周歯４の内接寸法であってナットＡが通過しない寸法とするとともに、外径がソケット２の一端部の外径に略等しい環状磁石６を配置する。この、環状磁石６と、環状磁石を配置したソケット２の一端部を係止具７で覆って、係止させる。すなわち、係止具７は、一端に内鍔８を備えた筒状とし、筒状部分の内径を前記環状磁石６及びソケット一端部の外径に等しいものとしている。そして、係止具７の外周面とソケット２を保持する本体１の保持孔３の間をスプリングピン９によって係止させるようにすることである。
【０００７】
請求項２記載の考案は、筒状のソケット２の外周について、一端を一端細径部10、他端を他端細径部11とし、中間を中間太径部12とする。ソケット２を装着する本体１の保持孔３は、係止具７を装着したソケットの一端部が装着される保持孔３の一端部を係止具７の外周が嵌合する太径孔13とし、ソケット２の一端細径部10を係止具７の内周面に嵌合させ、係止具７の外周面を本体１の保持孔３の前記一端の太径孔13内周面に嵌合させ、ソケット２の中間太径部12が位置する保持孔３の中間部はソケット２の中間太径部12が遊回動可能な太径孔14とする。
【０００８】
本体１の保持孔３の他端部は、ソケットの他端細径部11が嵌合する細径孔15とし、該細径孔15と前記ソケット２の中間の太径孔14との間に内鍔16を形成させる。そして、この内鍔16にソケット２の中間太径部12を支受させる。
【考案の効果】
【０００９】
請求項１記載の本考案磁石付きラチェットレンチによれば、棒状の本体１の保持孔３に保持されたソケットの他端開口部からボルトＢに螺着されているナットＡをソケット２に挿入し、ネジ戻すことによってボルトからナットを取り外すことができる。このとき、ボルトから分離されたナットは、ソケットの一端部に配置された環状磁石６の磁力によって保持され、ナットを落下させることがない。ソケットが磁性体である、環状磁石６の磁力によってソケットが例示されナットＡは確実に保持される。
【００１０】
このとき、環状磁石６、あるいは係止具７の内鍔によってソケット２をナットＡが通過することが阻止され、ナットの着脱操作に際してナットをソケットの一端部から、例えばボルトＢの先端によって押し出してしまうことを防止して、ナットを確実に保持する。
ボルトＢから分離されたナットＡは、ソケット２内に保持されるが、ソケットの一端部は環状磁石６及び内鍔８を備えた係止具７で覆われているため手指あるいは棒状物を挿入することができるため、ソケットの内部に保持されたナットを容易に取り出すことが出来る。係止具杆７は、スプリングピンによって係止させるため容易に組み立てることができる。
【００１１】
請求項２記載の考案によれば、請求項１記載の考案を実施する上において、本体の保持孔３にソケットを簡単かつ確実に保持させることができる。すなわち、保持孔３の他端部に形成した内鍔16にソケット２の中間太径部12の下端を支受させ、中間太径部12の上端を係止具７の下端で押圧保持し、その状態でスプリングピン９で係止具７を本体の保持孔に係止させることによって、ソケット２を本体の保持孔３に強固に装着することができる。そして、この組立作業は、スプリングピンを装着して係止具７を保持孔３に挿入するだけの簡単な作業で組み立てることができる効果がある。
【図面の簡単な説明】
【００１２】
【図１】図１は、一部を縦断して示すソケット部分の分解正面図、
【図２】図２は、ソケット部分の平面図、
【図３】図３は、一部を切断除去して示すソケット部分の平面図、
【図４】図４は、ソケット部分の縦断面図、
【図５】図５は、ソケットにナットを挿入した状態の縦断面図である。
【考案を実施するための最良の形態】
【００１３】
以下、本考案に係る磁石付きラチェットレンチの実施形態を添付の図面に基づいて説明する。
図１は、本考案は磁石付きラチェットレンチの、一部を縦断して示すソケット部分の分解正面図、図２は、ソケット部分の平面図、図３は、一部を切断除去して示すソケット部分の平面図である。
【００１４】
本考案に係るラチェットレンチは、棒状の本体１の先端部に保持孔３を形成し、この保持孔３にソケット２を回転自在に収容し、このソケット２には正逆切り替え可能な状態のラチェット機構を設けている。ソケット２は、図１から理解されるように、円筒状のソケットの一端部(図面上の上端部)に一端細径部10を、他端部(図面上の下端部)に他端細径部11を形成し、中間部分を中間太径部12としている。円筒状のソケットの内周面には、着脱するナットやボルト頭が嵌合する内周歯４を形成するとともに、中間太径部12の外周面にはラチェット機構を構成する外周歯17を形成している。
【００１５】
ソケット２の一端部(図面上の上端部)には、内径が略ソケット２の内周歯４の内接寸法であってナットＡが通過しない寸法であるとともに、外径がソケット２の一端部の外径に略等しい環状磁石６を配置している。そして、ソケット２の一端部には、環状磁石６と環状磁石を配置したソケット２の一端部を、係止具７で覆っている。すなわち、環状磁石６の外径とソケット２の一端細径部10の外径と一致させるとともに、係止具７の内径と一致させている。
【００１６】
ソケットを収容する本体１の保持孔３は、ソケット２を装着する本体の保持孔３は、係止具７を装着したソケット２の一端部が装着される保持孔３の一端部(図面上の上端)を係止具７の外周が嵌合する太径孔13とする。すなわち、ソケット２の一端細径部10を係止具７の内周面に嵌合させ、係止具７の外周面を本体１の保持孔３の前記一端の太径孔13内周面に嵌合させ、ソケット２の中間太径部12が位置する保持孔３の中間部はソケット２の中間太径部12が遊回動可能な太径孔14としている。そして、本体１の保持孔３の他端部は、ソケット２の他端細径部が11嵌合する細径孔15としている。この構成とすることによって、細径孔15と前記ソケット２の中間の太径孔14との間に内鍔16が形成され、内鍔16にソケット２の中間太径部12の下端を支受させることになる。
【００１７】
本体の保持孔３に収容するソケット２が脱落しないようにするため、係止具７はスプリングピン９によって係止させる。すなわち、図１から理解されるように、係止具７の外周面に係止溝18を、図４から理解されるように、保持孔３の太径孔13の内周面に係止溝19を設け、スプリングピン９を係止溝18及び19に嵌合させることによってソケット２が本体１の保持孔３に確実に保持されることになる。
【００１８】
ソケットの回転方向を、正逆切り替えるラチェット機構は、ソケットの中間太径部12の外周目に形成した外周歯17と、外周歯17に噛合する歯20を備えた切替爪21で構成し、切替爪21と外周歯17の噛合状態の相対的な傾きを変更することによってソケットの回動方向を変更するもので、ラチェット機構として一般的な構造である。図中22は操作片であって、操作片22を左右に移動させることによって切替爪21の変えるもので、鋼球23をバネ24でで押圧することによって正逆一定方向を維持するもので、切替爪21は操作片22の操作によって図３の実線位置と鎖線位置の間を移動し、バネ24と鋼球23によって一定の位置を維持している。
【００１９】
図示実施形態においては、環状磁石６の内径と、係止具７の内鍔の内径を一致させているが、これら内径寸法は必ずしも正確に一致させる必要はない。しかしながら、図示例のように寸法が一致していると取扱いに便利である。
また、ソケット２及び係止具７が磁性体であると環状磁石６の磁力によってソケット２や係止具７が磁化されることになる。ソケット２が磁化されると、取り外したナットがより強力に保持される可能性がある。一方で、ラチェットレンチの外表面に種々の磁性体が吸磁されると不便な場合がある。このような場合に備え、係止具７あるいはソケット２を非磁性体製としておくことができる。
【００２０】
このように、ソケット２や係止具７が非磁性体であると、不必要に吸磁されることがない。このような場合であっても、ナットに対向して直接露出する環状磁石６によって、取り外したナットを確実に吸磁し、作業性に優れたものとすることができる実益がある。
【符号の説明】
【００２１】
１…本体、  ２…ソケット、  ３…保持孔、  ４…内周歯、  ５…ラチェット機構、  ６…環状磁石、  ７…係止具、  ８…内鍔、  ９…スプリングピン、  10…一端細径部、  11…他端細径部、  12…中間太径部、  13…太径部、  14…太径部、  15…細径部、  16…内鍔、  17外周歯、  18、19…係止溝、  20…歯、  21…切替爪、  22…操作片、  23…鋼球、  24…バネ、  Ａ…ナット、  Ｂ…ボルト。
【図１】
0003200189.tif 000003
【図２】
0003200189.tif 000004
【図３】
0003200189.tif 000005
【図４】
0003200189.tif 000006
【図５】
0003200189.tif 000007